(57)【特許請求の範囲】
【請求項１】
開閉片により開閉制御される可変入賞口と、該可変入賞口と連通し、かつ普通領域と特定領域とを具備する作動領域とを備えた変動入賞部を、
上下に複数配設して、上方の変動入賞部の、いずれかまたはすべての普通領域を下方の変動入賞部の作動領域内に連通してなる変動入賞装置を備え、
遊技盤面に設けられた開閉駆動領域に球が流入すると、いずれかまたはすべての可変入賞口を開放制御すると共に、該可変入賞口から流入した遊技球がいずれかの作動領域内の特定領域に遊技球が通過することを開始契機として、遊技者にとって利益ある特別遊技作動を実行するようにしたことを特徴とするパチンコ遊技機。
【請求項２】
特別遊技作動が、特定領域への球通過を開始契機とし、所定の変動入賞部の開閉片が往復開閉駆動を行ない、開閉片の所定制限開閉回数の開閉満了、または可変入賞口からの規定個数の入賞満了により、往復開閉駆動を停止する開閉ラウンドを、１回又は複数回繰り返してなるものである請求項１記載のパチンコ遊技機。
【請求項３】
特別遊技作動が、開始契機となる遊技球通過がなされた特定領域が属する変動入賞部においてのみ実行されるものであることを特徴とする請求項１又は請求項２記載のパチンコ遊技機。
【請求項４】
特別遊技作動が、いずれかの特定領域に開始契機となる遊技球通過がなされると、すべての変動入賞部で実行される場合があることを特徴とする請求項１又は請求項２記載のパチンコ遊技機。
【請求項５】
変動入賞装置が、上下二つの変動入賞部を備えてなり、上部の変動入賞部の特定領域への遊技球の通過を開始契機とする特別遊技作動と、下部の変動入賞部の特定領域への遊技球の通過を開始契機とする特別遊技作動とで、一方が他方に比して有利となるようにした請求項１記載のパチンコ遊技機。
【請求項６】
上下一方の変動入賞部の特定領域への遊技球の通過を開始契機とする特別遊技作動にあっては、上下両方の変動入賞部の開閉片を往復開閉駆動するようにし、上下他方の変動入賞部の特定領域への遊技球の通過を開始契機とする特別遊技作動にあっては、上下いずれかの変動入賞部の開閉片のみを往復開閉駆動するようにした請求項５記載のパチンコ遊技機。
【発明の詳細な説明】
【０００１】
【発明の属する技術分野】
本発明は、可変入賞口から球流入が可能な作動領域内に、普通領域と特定領域とを具備し、かつ可変入賞口を開閉片により開閉制御される変動入賞装置を備えたパチンコ遊技機に関する。
【０００２】
【従来の技術】
可変入賞口から球流入が可能な作動領域内に、普通領域と特定領域とを具備し、かつ可変入賞口を開閉片により開閉制御される変動入賞装置を備え、遊技盤面に設けられた始動領域に球が流入すると、開閉片が開放位置して可変入賞口を開放すると共に、該可変入賞口から流入した遊技球が作動領域内の特定領域に球が流入すると、開閉片が往復開閉駆動を行ない（開閉ラウンドの実行）、その開放位置で、可変入賞口から球流入を可能とし、作動領域内で特定領域に遊技球が入ると、その開閉ラウンドを継続可能としたパチンコ遊技機は、２種パチンコ遊技機として良く知られている。
【０００３】
ここでこの開閉ラウンドは、開閉片の所定制限開閉回数の開閉満了、または可変入賞口からの規定個数の入賞満了により一旦終了し、特定領域への球通過を条件として、あらかじめ定められた制限開閉回数以内で開閉ラウンドが繰り返される。
【０００４】
【発明が解決しようとする課題】
ところで、上述した従来構成にあっては、単一の作動領域内での遊技球の動作により、当たりハズレが決定するものであり、比較的単調な作動となる。
本発明は、かかるパチンコ遊技機にあって、さらに多様な遊技球動作及び当たり態様が発生可能なパチンコ遊技機を提供することを目的とするものである。
【０００５】
【課題を解決するための手段】
本発明は、開閉片により開閉制御される可変入賞口と、該可変入賞口と連通し、かつ普通領域と特定領域とを具備する作動領域とを備えた変動入賞部を、上下に複数配設して、上方の変動入賞部の、いずれかまたはすべての普通領域を下方の変動入賞部の作動領域内に連通してなる変動入賞装置を備え、遊技盤面に設けられた開閉駆動領域に球が流入すると、いずれかまたはすべての可変入賞口を開放制御すると共に、該可変入賞口から流入した遊技球がいずれかの作動領域内の特定領域に遊技球が通過することを開始契機として、遊技者にとって利益ある特別遊技作動を実行するようにしたことを特徴とするパチンコ遊技機である。ここで、この特別遊技作動の実行開始契機としては、可変入賞口から流入した遊技球が作動領域内の特定領域に球が直接流入する場合と、上方の変動入賞部の普通領域から下方の変動入賞部の特定領域へ球通過する場合とを生ずる。
【０００６】
かかる構成にあって、二以上の変動入賞部を具備し、かつ各変動入賞部ごとに普通領域と特定領域とが設けられて、その特定領域の球通過により、夫々特別遊技作動が実行され、さらには、上方の変動入賞部の普通領域から下方の変動入賞領域の作動領域に入った遊技球が特定領域に流入することを可能として、上下の変動入賞部を関連付けたものであるから、多様な遊技球動作及び当たり態様が発生可能となる。
【０００７】
ここで特別遊技作動としては、従来のように、特定領域への球通過を開始契機とし、所定の変動入賞部の開閉片が往復開閉駆動を行ない、開閉片の所定制限開閉回数の開閉満了、または可変入賞口からの規定個数の入賞満了により、往復開閉駆動を停止する開閉ラウンドを、１回又は複数回繰り返してなるものが適用される。尚、開閉片が開閉ラウンドが満了するまで継続的に開放維持される構成とするなど、その他、種々の特別遊技作動が実行される。
ここで特別遊技作動が、開始契機となる遊技球通過がなされた特定領域が属する変動入賞部においてのみ実行されるものとすることができる。したがって、上下二つの変動入賞部を備えた構成にあっては、二態様の特別遊技作動が実行可能となる。
【０００８】
また、特別遊技作動が、いずれかの特定領域に開始契機となる遊技球通過がなされると、すべての変動入賞部で実行される場合があるものとしてもよい。ここで、いずれの特定領域に開始契機となる球通過があっても、このような作動が実行されるものとしても良い。かかる構成にあっては、上下いずれの特定領域に入っても上下の開閉片が一律に作動する単一態様の特別遊技作動が実行されることとなる。この場合には、上方の変動入賞部の普通領域から下方の変動入賞部の作動領域に入った遊技球が特定領域に流入する可能性が付与されることにより、特定の普通領域を一旦球通過した場合にあって、特定領域に入る可能性を生じ、チャンスが二度与えられることとなる。
【０００９】
また、変動入賞装置が、上下二つの変動入賞部を備えてなり、上部の変動入賞部の特定領域への遊技球の通過を開始契機とする特別遊技作動と、下部の変動入賞部の特定領域への遊技球の通過を開始契機とする特別遊技作動とで、一方が他方に比して有利となるようにした構成も提案される。例えば、上部特定領域に遊技球が通過した方が、敗者復活戦的意味の強い下部特定領域に遊技球が通過した場合に比して遊技者に有利となる構成が提案される。尚、勿論、下部特定領域に通過した方が利得が大きくなるようにしても良い。
【００１０】
この有利性に変化をもたらす例としては、上下一方の変動入賞部の特定領域への遊技球の流入を開始契機とする特別遊技作動にあって、上下両方の変動入賞部の開閉片を往復開閉駆動するようにし、上下他方の変動入賞部の特定領域への遊技球の流入を開始契機とする特別遊技作動にあっては、上下いずれかの変動入賞部の開閉片のみを往復開閉駆動するようにした構成が提案される。すなわち、有利な状態にあっては、特別遊技作動にあって、上下いずれのの開閉片も開放するから、入賞の可能性や、開閉ラウンドが更新される可能性が高くなる。
【００１１】
【発明の実施の形態】
本発明の実施例を図面に従って説明する。
図１はパチンコ遊技機の遊技盤１の正面図であって、遊技盤１の隅部には装飾ランプ及びＬＥＤ２が配設され、その盤面中央には、変動入賞装置１０が配設される。また、変動入賞装置１０の両側下方には内部を開閉駆動領域５ａ，５ａとする左右の入賞口７，７が配設されている。また変動入賞装置１０の下方中央には、内部を開閉駆動領域５ｂ，５ｂとする左右の入賞口８，８が配設されている。この開閉駆動領域５ａ，５ａの球通過に伴って、開閉駆動装置４１ａ（図４参照）が駆動して、後述する変動入賞装置１０の開閉片１６，１６を開閉する。また開閉駆動領域５ｂ，５ｂの球通過に伴って、開閉駆動装置４１ｂ（図４参照）が駆動して、後述する変動入賞装置１０の開閉片２６，２６をを開閉する。その他、遊技盤１には種々の一般入賞口が設けられている。
【００１２】
次に変動入賞装置１０について説明する。
この変動入賞装置１０は、上下に変動入賞部１１，２１を備えてなるものである。ここでケース３０の中央部には、上壁３１と、上下の凹形周壁３２，３３に囲繞されて閉鎖された、奥に深い作動領域１３、２３が上下に配設されている。
【００１３】
この上部作動領域１３の両側には、上壁３１と上部の凹形周壁３２間の左右可変入賞口１５，１５が配設され、該可変入賞口１５，１５を、左右方向へ回動可能に枢支された開閉片１６，１６により開閉制御するようにしている。この開閉片１６，１６は、ケース３０内に設けられたソレノイド等からなる開閉駆動装置４１ａ（図４参照）により内外方向へ回動制御され、可変入賞口１５，１５を夫々遮蔽する閉鎖位置と、開放位置とに変換される。而して、上部変動入賞部１１が構成される。
【００１４】
また同様に、下部作動領域２３の両側には、上下の凹形周壁３２，３３間の左右可変入賞口２５，２５が配設され、該可変入賞口２５，２５を、左右方向へ回動可能に枢支された開閉片２６，２６により開閉制御するようにしている。この開閉片２６，２６も、上述と同様に開閉駆動装置４１ｂ（図４参照）により内外方向へ回動制御され、可変入賞口２５，２５を夫々遮蔽する閉鎖位置と、開放位置とに変換される。而して、下部変動入賞部２１が構成される。
【００１５】
開閉駆動装置４１ａ，４１ｂは、後述する開閉駆動領域５ａ，５ａ、５ｂ，５ｂへの球の流入、又は特別遊技作動の開始に伴って駆動し、開閉片１６，１６、２６，２６の開放位置で、可変入賞口１５，１５、２５，２５からの球の流入が可能となると共に、該可変入賞口１５，１５から入った球は、作動領域１３内に流下する。また、可変入賞口２５，２５から入った球は、作動領域２３内に流下する。
【００１６】
上部作動領域１３内にあって、その奥部には、中央に特定領域１７がその左右に普通領域１８ａ，１８ａが夫々配設されている。これらの領域１７，１８ａ，１８ａに球が通過すると、後述する入賞球検知スイッチＳ3aに球検知されて賞球が発生する。そしてさらに図中右側部には直接は賞球を発生しない普通領域１８ｂが配設されている。また下部作動領域２３内にあっても、同様にその奥部には、中央に特定領域２７がその左右に普通領域２８，２８が夫々配設されている。そして、上部作動領域１３内の普通領域１８ｂと、下部作動領域２３とは、その間に配設された案内流下通路１９（図３参照）により連通するようにしている。これらの領域２７，２８，２８に球が通過すると、後述する入賞球検知スイッチＳ3ｂに球検知されて賞球が発生することとなる。
【００１７】
かかる構成にあって、開閉駆動領域５ａ，５ａ、５ｂ，５ｂの球流入にともない、開閉片１６，１６，２６，２６が開放作動し、その開放中に左右の可変入賞口１５，１５、２５，２５から作動領域１３、２３内に入った遊技球が、特定領域１７，２７に流入すると、夫々特別遊技作動が開始される。この特別遊技作動の態様は後述する。
【００１８】
上述の変動入賞装置１０の作動制御手段は、図４で示す中央制御装置ＣＰＵ等からなる遊技制御装置４０（マイクロコンピュータシステム）によって構成される。かかる構成及び制御態様につき説明する。
【００１９】
この中央制御装置ＣＰＵは、制御動作を所定の手順で実行するものであって、動作プログラムを格納する記憶装置ＲＯＭと、必要なデータを随時読み書きできる記憶装置ＲＡＭが接続されている。記憶装置ＲＯＭには、制御プログラム、及びランプ，ＬＥＤの表示パターン、スピーカからの効果音等を発生させるための音声発生パターン等の固定データが記憶されている。
【００２０】
また中央制御装置ＣＰＵには入力ポートを介して開閉駆動領域５ａ，５ａに設けられた始動スイッチＳ1a、開閉駆動領域５ｂ，５ｂに設けられた始動スイッチＳ1b 、特定領域17に設けられた特定領域スイッチＳ2a及び入賞個数を検知する入賞球検知スイッチ（カウントスイッチ）Ｓ3a、特定領域２７に設けられた特定領域スイッチＳ2b及び入賞個数を検知する入賞球検知スイッチ（カウントスイッチ）Ｓ3ｂ等の各種スイッチが接続される。ここで、入賞球検知スイッチ（カウントスイッチ）Ｓ3a、Ｓ3ｂにより、各変動入賞部１１，２１ごとの総入賞球数が計数される。この各スイッチから送り出された信号は波形整形回路により波形整形して中央制御装置ＣＰＵに入力データとして伝えられ、その情報が記憶装置ＲＡＭに記憶される。この記憶装置ＲＡＭには、メモリにデータを読み書きするアドレスを指定する情報を一方的に伝えるアドレスバス（図示せず）と、中央制御装置ＣＰＵと記憶装置ＲＯＭ，ＲＡＭとデータのやり取りを行なうデータバスとが接続される。
【００２１】
さらに、中央制御装置ＣＰＵには、出力ポートを介して制御する上述した各種ソレノイド、装飾ランプ・ＬＥＤ等の周辺機器が接続される。その他、中央制御装置ＣＰＵには、上述したように、音データを受けてアンプに出力するサウンドジェネレータが接続されている。
【００２２】
次に、本発明の要部につき説明する。
上述したように本発明は、上下に変動入賞部１１，２１を備えたことを特徴とし、かつ両変動入賞部１１，２１を、上部作動領域１３内の普通領域１８ｂと、下部作動領域２３とは、その間に配設された案内流下通路１９により連通しており、このため、その特別遊技作動にあって、種々の作動態様が発生しうる。
【００２３】
すなわち、上述したように、開閉駆動領域５ａ，５ａ、５ｂ，５ｂへの球流入にともない、開閉片１６，１６、２６，２６が開放作動する。ここで、開閉駆動領域５ａ，５ａへの球流入にともない、開閉片１６，１６が所定時間（例えば０．９秒）開放し、開閉駆動領域５ｂ，５ｂへの球流入にともない、開閉片２６，２６が所定時間（例えば０．９秒）開放する。
【００２４】
尚、いずれに入っても、全開閉片１６，１６、２６，２６が開放するようにしてもよく、この場合に開閉駆動領域５ａ，５ａにあっては、２回開放作動し、開閉駆動領域５ｂ，５ｂにあっては、１回開放作動するようにしても良い。このほか、開閉駆動領域５ａ，５ａ、５ｂ，５ｂと開閉片１６，１６、２６，２６との開閉関係は種々提案される。
【００２５】
そして、この開放駆動により遊技球が、いずれかの特定領域１７，２７に入ると、特別遊技作動が開始される。ここで、上部作動領域１３に入った遊技球が普通領域１８ｂを通過した場合には、案内流下通路１９から下部作動領域２３に流入した後、特定領域２７に入るチャンスが与えられる。
【００２６】
この特別遊技作動にあっては、右サウンドジェネレータ（図４参照）によりファンファーレが鳴り、開閉片１６，１６（２６，２６）の開閉駆動を生じ、開閉ラウンドが開始される。この開閉ラウンド中にあって、開閉片１６，１６（２６，２６）が所定制限開閉回数（例えば１８回）だけ開閉を繰り返すか、又は規定個数１０個の遊技球が入賞満了すると、一旦開閉片１６，１６（２６，２６）が閉じて、１回目の開閉ラウンドが満了し、かつその開閉ラウンド中に特定領域１７（２７））に球が入ることを条件として、次の開閉ラウンドへ移行する。
【００２７】
この特別遊技作動にあっては次のような発生態様がある。
１）開始契機となった特定領域に係る変動入賞部についてのみ作動する構成。
開始契機として、上下いずれかの変動入賞部１１，２１の特定領域１７，２７を遊技球が通過すると、当該変動入賞部１１，２１に係る開閉片１６，１６、２６，２６のみが開閉駆動する構成である。すなわち、特定領域１７に遊技球が通過すると開閉片１６，１６のみが駆動し、特定領域２７に遊技球が通過すると開閉片２６，２６のみが駆動することとなり、二態様の特別遊技作動が実行可能となる。ここで、変動入賞部１１の上部作動領域１３に遊技球が入った場合には、特定領域１７の球通過に伴う開閉片１６，１６のみが駆動する場合と、普通領域１８ｂを経由して下部作動領域２３の特定領域２７の球通過に伴う開閉片２６，２６のみが駆動する場合とを生じる。
【００２８】
２）開始契機としていずれの特定領域に球通過してもすべての開閉片が作動する構成。
上下いずれかの変動入賞部１１，２１の特定領域１７，２７を遊技球が通過すると、両方の開閉片１６，１６、２６，２６が同期的に往復開閉駆動する構成である。すなわち単一態様の特別遊技作動を生じる構成である。この場合には、上方の変動入賞部１１に入ると、特定領域１７を通過しない場合にあっても、普通領域１８ｂから下部作動領域２３に入った遊技球が特定領域２７を通過する可能性が付与される。
【００２９】
３）上部変動入賞部の特定領域への遊技球の流入を開始契機とする特別遊技作動と、下部の変動入賞部の特定領域への遊技球の流入を開始契機とする特別遊技作動とで利得を異ならせる構成。
【００３０】
この構成により、一方の特定領域への球通過を、より強く願うこととなり、これにより遊技者に種々の遊技感情を誘発し得る。この有利差を発生させる形態として次のような構成が提案される。
【００３１】
イ）上部変動入賞部１１の特定領域１７への遊技球の流入を開始契機とする特別遊技作動にあっては、上下両方の開閉片１６，１６、２６，２６を往復開閉駆動するようにし、下部変動入賞部２１の特定領域２７への遊技球の流入を開始契機とする特別遊技作動にあっては、下部の開閉片２６，２６のみを往復開閉駆動する。これにより、上部の特定領域１７に球通過した場合には、上下いずれの開閉片１６，１６、２６，２６も開放するから、入賞の可能性や、開閉ラウンドが更新される可能性が高くなる。一方、特定領域２７は、普通領域１８ｂを経由して球通過する場合があって、敗者復活戦的な意義が強いから、下部作動領域２３に入った遊技球が特定領域２７を通過した場合には、開閉片２６，２６のみを往復開閉駆動する。なお、特定領域１７にはいると、上部の開閉片１６，１６のみを往復開閉駆動するようにし、特定領域２７にはいると、上下両方の開閉片１６，１６、２６，２６を往復開閉駆動するようにしてもよい。
【００３２】
ロ）各開閉ラウンドの開閉片１６，１６、２６，２６の開閉作動時間または開閉駆動回数を変化させる。
例えば、上部変動入賞部１１の特定領域１７への遊技球の流入を開始契機とする特別遊技作動にあっては、上部の開閉片１６，１６を比較的長く開放作動し、下部変動入賞部２１の特定領域２７への遊技球の流入を開始契機とする特別遊技作動にあっては、下部の開閉片２６，２６を比較的短く開放作動する。この構成にあっても、上部変動入賞部１１の特定領域１７への遊技球の流入を開始契機とする特別遊技作動にあっては、上部の開閉片１６，１６を比較的短く開放作動し、下部変動入賞部２１の特定領域２７への遊技球の流入を開始契機とする特別遊技作動にあっては、下部の開閉片２６，２６を比較的長く開放作動する。この開閉作動時間の変化により利得を異ならせるのに換えて、この開閉作動回数の変化により利得を異ならせても良い。
【００３３】
ハ）開閉ラウンドの最大ラウンド数を変化させる。
例えば、上部の特定領域１７に球通過した場合には、上部の開閉片１６，１６の開閉のみを生ずる開閉ラウンドを、特定領域１７への球通過を条件として最大１８回可能とし、下部の特定領域２７に球通過した場合には、下部の開閉片２６，２６の開閉のみを生ずる開閉ラウンドを、特定領域２７への球通過を条件として最大１０回可能とする。
【００３４】
次に、上部変動入賞部の開閉ラウンド中に、普通領域１８ｂを経由して、下部の特定領域２７に球通過した場合の動作つき例示する。
【００３５】
ａ）通常の入賞のみを生じさせる構成。
特定領域２７の開閉ラウンドの更新機能を無効とする構成である。この構成にあっては、上部変動入賞部１１の特別遊技作動は、下部変動入賞部２１の作動を誘発せず、上部変動入賞部１１における特別作動としての機能が明確になる。
【００３６】
ｂ）上部変動入賞部の開閉ラウンドを更新する。
すなわち、特定領域２７を特定領域１７と等価とするものである。従って更新確率が向上する。
【００３７】
ｃ）下部変動入賞部の開閉ラウンドを実行する。
普通領域１８ｂを経由して、下部変動入賞部２１の特定領域２７に球が通過すると下部変動入賞部２１の開閉ラウンドを実行する。この場合に、特定領域１７にも球通過すると、上下の変動入賞部１１，２１で夫々特別遊技作動が実行され、上下両方の開閉片１６，１６、２６，２６が往復開閉駆動する。ここで特定領域１７，２７のいずれかのみに遊技球が球通過した場合には、当該変動入賞部の特別遊技作動が実行され、開閉片１６，１６または開閉片２６，２６のみが往復開閉作動する。この場合に、下部の開閉片２６，２６のみが開放した場合には、当然ながら特定領域１７の球通過が不能となるから、これ以降、下部変動入賞部２１のみが開閉ラウンドが更新される可能性を生じる。このことからも、上部変動入賞部１１の開閉ラウンドが有利となる。従って特別遊技作動にあって、特定領域１７，２７のいずれにも遊技球が通過することが最大利益となり、次には特定領域１７のみへの球通過、そしてその次には特定領域２７のみへの球通過というように、段階的に有利状態が変化する。このため、その特別遊技作動中にあって、その進行状態により多様な利益格差を生じ、遊技者はその進行状態に一喜一憂することとなり、遊技がさらに面白いものとなる。
【００３８】
上述の実施例は上下に二つの変動入賞部１１，２１を備えた変動入賞装置１０を備える構成につき説明したが、該変動入賞部を３以上備えた変動入賞装置１０を具備した構成ととしても良い。また、変動入賞部１１の普通領域１８ｂのみを下部作動領域２３に連通したが、すべての普通領域１８ａ，１８ｂを下部作動領域２３に連通するようにしてもよい。
【００３９】
【発明の効果】
本発明は、上述したように、第２種パチンコ遊技機にあって、 開閉片により開閉制御される可変入賞口と、該可変入賞口と連通し、かつ普通領域と特定領域とを具備する作動領域とを備えた変動入賞部を上下に複数配設して、上方の変動入賞部の、いずれかまたはすべての普通領域を下方の変動入賞部の作動領域内に連通してなる変動入賞装置を備え、遊技球がいずれかの作動領域内の特定領域に遊技球が流入することを開始契機として、特別遊技作動を実行するようにしたものであるから、上方の変動入賞部の普通領域から下方の特定領域に球通過することが可能となって、上下の変動入賞部が関連付けられ、多様な遊技球動作及び当たり態様が発生可能となる。
【００４０】
また、変動入賞装置が、上下二つの変動入賞部を備えてなり、上部の変動入賞部の特定領域への遊技球の通過を開始契機とする特別遊技作動と、下部の変動入賞部の特定領域への遊技球の通過を開始契機とする特別遊技作動とで、一方が他方に比して有利となるようにした構成としたばあいには、その有利格差により遊技者は特別遊技作動にあって，一喜一憂することとなり、遊技者に種々の遊技感情を誘発でき、興趣あるパチンコ遊技が実現できる。
【図面の簡単な説明】
【図１】本発明のパチンコ遊技機の遊技盤１を示す正面図である。
【図２】本発明の変動入賞装置１０の斜視図である。
【図３】本発明の変動入賞装置１０の内部の斜視図である。
【図４】遊技制御装置（マイクロコンピュータ）を示すブロック回路図である。
【符号の説明】
５ａ，５ｂ，５ｂ  開閉駆動領域
１０  変動入賞装置
１１，２１  変動入賞部
１３，２３  作動領域
１５，２５  可変入賞口
１６，２６  開閉片
１７，２７  特定領域
１８ａ，１８ｂ，２８，２８  普通領域
【図１】
0003773240.tif 000002
【図２】
0003773240.tif 000003
【図３】
0003773240.tif 000004
【図４】
0003773240.tif 000005